(57)【要約】【課題】頭部へ装着可能な単眼レンズを備えた端末閲覧器具を提供する。【解決手段】端末閲覧器具１は、単眼レンズ１０１と、映像表示端末５００を保持する端末保持部１１０と、単眼レンズ１０１と端末保持部１１０とが設けられ、単眼レンズ１０１と端末保持部１１０との間に空間を構成する本体部１００と、本体部１００を利用者の頭部に固定する固定部１０４ｂとを備える。また、端末閲覧器具１は、単眼レンズ１０１を保持し、単眼レンズ１０１と端末保持部１１０との距離を変化させる方向に移動可能なレンズ保持枠１０２を備える。【選択図】図４
2018182696.tif 000002
【特許請求の範囲】
【請求項１】
単眼レンズと、
表示端末を保持する端末保持部と、
前記単眼レンズと前記端末保持部とが設けられ、前記単眼レンズと前記端末保持部との間に空間を構成する本体部と、
前記本体部を利用者の頭部に固定する固定部と、
を備える端末閲覧器具。
【請求項２】
請求項１に記載の端末閲覧器具において、
前記単眼レンズを保持し、前記単眼レンズと前記端末保持部との距離を変化させる方向に移動可能なレンズ保持枠を備えること、
を特徴とする端末閲覧器具。
【請求項３】
請求項２に記載の端末閲覧器具において、
前記レンズ保持枠は、前記単眼レンズと前記端末保持部との距離を変化させる方向に移動する操作を外部から操作可能に構成された操作部を備えること、
を特徴とする端末閲覧器具。
【請求項４】
請求項２又は請求項３に記載の端末閲覧器具において、
前記固定部側から前記端末保持部の方向を見たときの前記空間の大きさは、前記レンズ保持枠よりも大きな形状であって、同一形状を維持したまま前記単眼レンズと前記端末保持部との間に延在していること、
を特徴とする端末閲覧器具。
【請求項５】
請求項１から請求項４までのいずれかに記載の端末閲覧器具において、
前記本体部は、前記端末保持部から前記固定部に向かうにしたがい、高さが高くなることにより、前記空間とは別の第２の空間を構成しており、
前記第２の空間には、補強部材が配置されていること、
を特徴とする端末閲覧器具。
【請求項６】
請求項１から請求項５までのいずれかに記載の端末閲覧器具において、
前記固定部の中心位置よりも前記端末保持部とは反対側となる位置に配置され、錘が装着可能に構成された、又は、錘が装着された荷重制御部を備えること、
を特徴とする端末閲覧器具。
【請求項７】
請求項６に記載の端末閲覧器具において、
前記荷重制御部は、可撓性を有する材料により形成されていること、
を特徴とする端末閲覧器具。
【請求項８】
請求項１から請求項７までのいずれかに記載の端末閲覧器具において、
前記本体部の少なくとも一部を覆うように構成された外装部材と、
前記外装部材を前記本体部に着脱自在に装着可能とする装着部と、
を備えることを特徴とする端末閲覧器具。
【発明の詳細な説明】
【技術分野】
【０００１】
本発明は、映像表示端末を閲覧する端末閲覧器具に関するものである。
【背景技術】
【０００２】
従来、バーチャルリアリティ（ＶＲ）、オーグメンテッドリアリティ（ＡＲ）等を体験できる箱型の端末閲覧器具があった（例えば、特許文献１）。
特許文献１に開示されているような双眼レンズを備えた機器は、特許文献１にも記載されているように、３Ｄビューワ等とも呼ばれ、左右それぞれで視差のある映像を観察することにより、立体感のある映像を観察可能である。
また、専用の表示端末が固定され、双眼レンズを備えたヘッドマウントディスプレイが開示されている（例えば、特許文献２）。
【０００３】
一方、単眼レンズを備え、映像を拡大表示して観察可能とする端末閲覧器具も知られている。
しかし、単眼レンズを備えた端末閲覧器具は、映像表示端末と単眼レンズとの間の距離を双眼レンズの場合よりも長くする必要があり、大型化する傾向にある。したがって、単眼レンズを備えた端末閲覧器具は、頭部へ装着可能なヘッドマウント型に構成することが難しく、手で持って観察することしかできず、利用範囲が限られていた。
【先行技術文献】
【特許文献】
【０００４】
【特許文献１】特開２０１６−１３６２３０号公報
【特許文献２】特開２０１７−１７５６５号公報
【発明の概要】
【発明が解決しようとする課題】
【０００５】
本発明の課題は、頭部へ装着可能な単眼レンズを備えた端末閲覧器具を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、単眼レンズ（１０１）と、表示端末（５００）を保持する端末保持部（１１０）と、前記単眼レンズ（１０１）と前記端末保持部（１１０）とが設けられ、前記単眼レンズ（１０１）と前記端末保持部（１１０）との間に空間を構成する本体部（１００）と、前記本体部（１００）を利用者の頭部に固定する固定部（１０４ｂ）と、を備える端末閲覧器具（１）である。
【０００８】
第２の発明は、第１の発明に記載の端末閲覧器具（１）において、前記単眼レンズ（１０１）を保持し、前記単眼レンズ（１０１）と前記端末保持部（１１０）との距離を変化させる方向に移動可能なレンズ保持枠（１０２）を備えること、を特徴とする端末閲覧器具（１）である。
【０００９】
第３の発明は、第２の発明に記載の端末閲覧器具（１）において、前記レンズ保持枠（１０２）は、前記単眼レンズ（１０１）と前記端末保持部（１１０）との距離を変化させる方向に移動する操作を外部から操作可能に構成された操作部（１０２ａ）を備えること、を特徴とする端末閲覧器具（１）である。
【００１０】
第４の発明は、第２の発明又は第３の発明に記載の端末閲覧器具（１）において、前記固定部（１０４ｂ）側から前記端末保持部（１１０）の方向を見たときの前記空間の大きさは、前記レンズ保持枠（１０２）よりも大きな形状であって、同一形状を維持したまま前記単眼レンズ（１０１）と前記端末保持部（１１０）との間に延在していること、を特徴とする端末閲覧器具（１）である。
【００１１】
第５の発明は、第１の発明から第４の発明までのいずれかに記載の端末閲覧器具（１）において、前記本体部（１００）は、前記端末保持部（１１０）から前記固定部（１０４ｂ）に向かうにしたがい、高さが高くなることにより、前記空間とは別の第２の空間を構成しており、前記第２の空間には、補強部材が配置されていること、を特徴とする端末閲覧器具（１）である。
【００１２】
第６の発明は、第１の発明から第５の発明までのいずれかに記載の端末閲覧器具（１）において、前記固定部（１０４ｂ）の中心位置よりも前記端末保持部（１１０）とは反対側となる位置に配置され、錘（Ｗ）が装着可能に構成された、又は、錘が装着された荷重制御部（１０６）を備えること、を特徴とする端末閲覧器具（１）である。
【００１３】
第７の発明は、第６の発明に記載の端末閲覧器具（１）において、前記荷重制御部（１０６）は、可撓性を有する材料により形成されていること、を特徴とする端末閲覧器具（１）である。
【００１４】
第８の発明は、第１の発明から第７の発明までのいずれかに記載の端末閲覧器具（１）において、前記本体部（１００）の少なくとも一部を覆うように構成された外装部材（２００）と、前記外装部材（２００）を前記本体部（１００）に着脱自在に装着可能とする装着部（１０７，２０１）と、を備えることを特徴とする端末閲覧器具（１）である。
【発明の効果】
【００１５】
本発明によれば、頭部へ装着可能な単眼レンズを備えた端末閲覧器具を提供することができる。
【図面の簡単な説明】
【００１６】
【図１】端末閲覧器具の本体部を示す斜視図である。
【図２】荷重制御部の錘を取り付けない状態の本体部を示す側面図である。
【図３】荷重制御部の錘を取り付けた状態の本体部を示す側面図である。
【図４】本体部の主要部を中央で切断した縦断面図である。
【図５】図４の縦断面図からレンズ保持枠が移動し、かつ、端末保持部が開放した状態を示す図である。
【図６】本体部を図４中の矢印Ａ−Ａの位置で切断した断面図である。
【図７】本体部を利用者の頭部に装着した状態を示す図である。
【図８】外装部材２００を本体部１００に被せた状態を示す図である。
【図９】蓋部２００ａ及び端末保持部１１０を開いた状態を示す図である。
【発明を実施するための形態】
【００１７】
以下、本発明を実施するための最良の形態について図面等を参照して説明する。
【００１８】
（実施形態）
図１は、端末閲覧器具の本体部を示す斜視図である。
図２は、荷重制御部の錘を取り付けない状態の本体部を示す側面図である。
図３は、荷重制御部の錘を取り付けた状態の本体部を示す側面図である。
図４は、本体部の主要部を中央で切断した縦断面図である。
図５は、図４の縦断面図からレンズ保持枠が移動し、かつ、端末保持部が開放した状態を示す図である。
図６は、本体部を図４中の矢印Ａ−Ａの位置で切断した断面図である。
図７は、本体部を利用者の頭部に装着した状態を示す図である。
【００１９】
なお、各図は、必要に応じて適宜模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の機能を奏し、平行や直交と見なせる程度の誤差を有する状態も含むものとする。
また、本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。
また、図１中に示したように、装着状態における装着者を基準とした前後、左右、上下の方向を適宜使用して説明する。
【００２０】
端末閲覧器具１は、本体部１００と、外装部材２００（図８参照）とを備えている。
本体部１００には、単眼レンズ１０１と、レンズ保持枠１０２と、ベース部１０３と、固定部構成部材１０４と、上面補強部１０５と、荷重制御部１０６と、端末保持部１１０とが設けられている。
【００２１】
単眼レンズ１０１は、例えば、フレネルレンズにより構成されており、レンズ保持枠１０２の前端部に取り付けられている。
【００２２】
レンズ保持枠１０２は、四角柱状の筒形状に形成されており、前後方向に移動可能な形態でベース部１０３に取り付けられている。レンズ保持枠１０２が前後方向に移動可能であることにより、単眼レンズ１０１と端末保持部１１０、すなわち、端末保持部１１０に保持された映像表示端末５００との距離を変化させる方向にレンズ保持枠１０２が単眼レンズ１０１とともに移動可能である。よって、観察者は、単眼レンズ１０１を介して観察する映像表示端末５００に表示される映像のピント調節が可能となる。
ここで、映像表示端末５００は、例えば、スマートフォンのような汎用の表示端末であってもよいし、専用の表示端末であってもよい。
【００２３】
レンズ保持枠１０２の左右の壁面には、操作部１０２ａが円形の貫通孔として開口されている。操作部１０２ａに対応して、後述の固定部構成部材１０４には、開口部１０４ｅが前後方向に長い長孔形状で開口している。よって、利用者は、外部から操作部１０２ａに指を差し込んで、端末保持部１１０を前後方向に移動させることにより、ピント調節が可能である。
レンズ保持枠１０２は、例えば、スチレンボードを組み合わせて構成することができる。
【００２４】
ベース部１０３は、本体部１００のベースとなる部分であり、前後方向に貫通した空間を囲む形態で四角柱状の筒形状に形成されている。固定部１０４ｂ側（後方）から端末保持部１１０の方向（前方）を見たときの、この空間の大きさは、レンズ保持枠１０２よりも大きな形状であって、長方形形状の同一形状を維持したまま単眼レンズ１０１と端末保持部１１０との間を含む前後方向に延在している。また、ベース部１０３は、左右の壁面が下方に延在して形成されており、端末保持部１１０（前方）から固定部１０４ｂ（後方）に向かうにしたがい、高さが高くなることにより、この両方の壁面に挟まれた部分に上述した空間とは別の第２の空間を構成している。
ベース部１０３は、例えば、スチレンボードを組み合わせて構成することができる。
【００２５】
固定部構成部材１０４は、本体部１００を利用者の頭部に固定する部分である。本実施形態の固定部構成部材１０４は、ベース部１０３の左右の側面を覆う側面部１０４ａと、頭部を覆う固定部１０４ｂとが同一部材により構成されているので、固定部１０４ｂと本体部１００との接続強度が高くなっている。また、固定部構成部材１０４には、装着者の首の後方において固定されるベルト１０４ｃ及びバックル１０４ｄが設けられている。さらに、固定部１０４ｂには、装着者の耳を塞がないように開口された開口部１０４ｆが開口されている。
固定部構成部材１０４は、例えば、０．３ｍｍ厚のＰＥＴシートを両側から５ｍｍ厚の硬質ウレタンで挟み込んだ複層構成とするとよい。このような構成とすることにより、十分な強度を確保しながら、肌触りの良好な構成を実現可能である。
また、固定部構成部材１０４の側面には、面ファスナー１０７が配置されている。
固定部構成部材１０４は、ベース部１０３と同様に、後方に向かうにしたがい、高さが高くなっている。これにより、後方において固定部構成部材１０４の大きさ（高さ方向の幅）を、強度確保に必要な幅に構成することが可能となる。また、前方は高さ（高さ方向の幅）が必要以上に大きくならないので、前方の重量を低減できる。
【００２６】
上面補強部１０５は、ベース部１０３の上面を補強するために設けられている。また、上面補強部１０５の後方は、装着者の額に沿うように円弧状に形成されている。
上面補強部１０５は、例えば、硬質ウレタンにより構成することができる。
【００２７】
荷重制御部１０６は、一端（前端）が上面補強部１０５に固定されており、他端（後端）が固定部１０４ｂへ向かって（後方に向かって）延在して帯状に設けられている。荷重制御部１０６の後端側には、錘Ｗが装着可能に構成された錘装着部１０６ａが構成されている。荷重制御部１０６は、可撓性を有する材料により形成されている。例えば、荷重制御部１０６は、硬質ウレタンにより構成することができる。荷重制御部１０６は、可撓性を有する材料により形成されていることにより、利用者の頭部の形状に自然に荷重制御部１０６が倣うことができ、装着感の向上に寄与している（図３参照）。
荷重制御部１０６に適切な錘Ｗを装着することにより、ベース部１０３が前方に長いことにから前方が下方へ下がる方向に傾くことを抑止可能である。したがって、端末閲覧器具１を頭部へ装着した状態であっても、重量バランスが自然となり、利用者の動作を妨げにくくできる。
【００２８】
端末保持部１１０は、本体部１００の前端部に設けられており、映像表示端末５００を着脱自在に保持する。本実施形態の端末保持部１１０は、フレーム１１１と、シート体１１２と、面ファスナー１１３，１１４と、テープ１１５とを有している。
【００２９】
フレーム１１１は、映像表示端末５００の周囲を囲むことができる大きさの枠形状に形成されている。フレーム１１１は、その下方がテープ１１５を用いてベース部１０３の先端部に取り付けられている。
【００３０】
シート体１１２は、フレーム１１１の全面に配置された樹脂シートである。シート体１１２の中央には、貫通孔１１２ａが開口されている。この貫通孔１１２ａは、映像表示端末５００を端末保持部１１０から取り外すときに、映像表示端末５００を指で押し出して取り出しやすくするために設けられている。
また、シート体１１２は、その上部がフレーム１１１の上部の形状に沿って構成されており、さらにその先端に、つまみ部１１２ｂが設けられている。
【００３１】
面ファスナー１１３は、つまみ部１１２ｂのベース部１０３に対向する面であって、かつ、面ファスナー１１４と対向する位置に配置されており、面ファスナー１１４との間で着脱自在となっている。
【００３２】
面ファスナー１１４は、ベース部１０３の上面であって、かつ、面ファスナー１１３と対向する位置に設けられている。
【００３３】
上記構成により、端末保持部１１０は、図４に示した映像表示端末５００を保持する状態と、図５に示した映像表示端末５００を着脱可能な状態との間で形態を変化することができる。
【００３４】
図８は、外装部材２００を本体部１００に被せた状態を示す図である。
外装部材２００は、例えば、段ボール紙や、樹脂シート材等により構成されており、本体部１００を覆うことができるように構成されている。外装部材２００の側面の内側には、面ファスナー１０７に対応する位置に、面ファスナー２０１が配置されている。外装部材２００と本体部１００とは、面ファスナー１０７と面ファスナー２０１とが装着部として機能し、これらが接合することにより着脱自在な状態で固定される。
また、外装部材２００の前面は、開閉可能な蓋部２００ａとして構成されている。
【００３５】
図９は、蓋部２００ａ及び端末保持部１１０を開いた状態を示す図である。
図９に示すように、蓋部２００ａは、その上方を支点として開閉可能に構成されている。この蓋部２００ａを開くことにより、図９に示すように、外装部材２００を本体部１００に装着したままで、映像表示端末５００の着脱が可能である。蓋部２００ａの裏面側には、面ファスナー２０２が設けられている。蓋部２００ａを閉じた状態で面ファスナー２０２と対向する位置の外装部材２００には、面ファスナー２０３が設けられている。よって、蓋部２００ａを閉じたときには、蓋部２００ａが閉じた状態を維持できる。
【００３６】
本実施形態では、外装部材２００を本体部１００とは別部材として設けたことにより、外装部材２００を複数種類用意すれば、様々な外観に容易に変更することが可能である。例えば、外装部材２００の外観を、恐竜を模した形状及び印刷としたものとすることができ、別の外装部材２００では、その外観を、動物を模した形状及び印刷としたものとすることができる。
また、外装部材２００を本体部１００とは別部材として設けたことにより、本体部１００については、機能的に必要な構成のみにすることができるので、本体部１００を簡素かつ軽量な構成とすることができる。また、外装部材２００は、本体部１００を覆うだけであることから、外装部材２００についても、簡素かつ軽量な構成とすることができる。よって、本体部１００と外装部材２００とを組み合わせた本実施形態の端末閲覧器具１は、全体として簡素かつ軽量な構成となり、頭部への装着を実現可能な構成とすることができる。
なお、外装部材２００の側面は、本体部１００の側面から離れており、手が挿入可能な空間が設けられている。よって、この空間に手を入れて操作部１０２ａの操作が可能である。
【００３７】
以上説明したように、本実施形態によれば、端末閲覧器具１を簡素かつ軽量な構成とすることができ、これにより、頭部へ装着可能な単眼レンズを備えた端末閲覧器具を提供することが可能となった。
また、本実施形態の端末閲覧器具１は、荷重制御部１０６を設けたことにより、重量バランスが良好となり、頭部への装着時に利用者が違和感を覚え難く、使い勝手のよい形態とすることができる。
さらに、本実施形態の端末閲覧器具１は、レンズ保持枠１０２を前後方向に移動可能としたので、ピント調節が可能である。特に、操作部１０２ａが設けられているので、外部から容易に操作が可能である。
【００３８】
（変形形態）
以上説明した実施形態に限定されることなく、種々の変形や変更が可能であって、それらも本発明の範囲内である。
【００３９】
（１）実施形態において、荷重制御部は、錘が装着可能に構成された形態を例に挙げて説明した。これに限らず、例えば、荷重制御部は、錘が固定された状態で装着されていてもよい。
【００４０】
（２）実施形態において、端末閲覧器具１は、外装部材２００を装着して利用する形態を挙げて説明した。これに限らず、例えば、外装部材２００を装着しない状態で利用することを前提とした端末閲覧器具としてもよい。
【００４１】
（３）実施形態において、本体部１００の下方に設けられた第２の空間に、さらに補強部材を設けて、本体部１００の補強を行ってもよい。補強部材としては、例えば、梁のような構造物とすることができる。
【００４２】
（４）実施形態において、面ファスナーを利用して２つの部材を着脱自在に構成した例を挙げて説明した。これに限らず、例えば、磁石の磁力を利用して２つの部材を着脱自在に構成してもよいし、２つの部材のそれぞれに係合形状を形成して、形状的に引っ掛けたり挿入したりして両者を固定する構成としてもよい。
【００４３】
（５）実施形態において、荷重制御部１０６を設けて、荷重の均衡を保つようにした形態を例に挙げて説明した。これに限らず、例えば、固定部１０４ｂが頭部全面を包み込む形態として装着状態における安定性を向上させたり、前方の重量を軽減したりすることにより、荷重制御部を設けない形態としてもよい。
【００４４】
なお、実施形態及び変形形態は、適宜組み合わせて用いることもできるが、詳細な説明は省略する。また、本発明は以上説明した各実施形態によって限定されることはない。
【符号の説明】
【００４５】
１        端末閲覧器具
１００    本体部
１０１    単眼レンズ
１０２    レンズ保持枠
１０２ａ  操作部
１０３    ベース部
１０４    固定部構成部材
１０４ａ  側面部
１０４ｂ  固定部
１０４ｃ  ベルト
１０４ｄ  バックル
１０４ｅ  開口部
１０４ｆ  開口部
１０５    上面補強部
１０６    荷重制御部
１０６ａ  錘装着部
１０７    面ファスナー
１１０    端末保持部
１１１    フレーム
１１２    シート体
１１２ａ  貫通孔
１１２ｂ  つまみ部
１１３    面ファスナー
１１４    面ファスナー
１１５    テープ
２００    外装部材
２００ａ  蓋部
２０１    面ファスナー
２０２    面ファスナー
２０３    面ファスナー
５００    映像表示端末
Ｗ        錘
【図１】
2018182696.tif 000003
【図２】
2018182696.tif 000004
【図３】
2018182696.tif 000005
【図４】
2018182696.tif 000006
【図５】
2018182696.tif 000007
【図６】
2018182696.tif 000008
【図７】
2018182696.tif 000009
【図８】
2018182696.tif 000010
【図９】
2018182696.tif 000011